(57)【要約】【課題】  テンキーの機能や文字入力の機能を操作キーに割り当てた際に、各操作キーの操作性を低下させることなく、操作面のサイズが大型化するのを抑制することができる波形表示装置を提供する。【解決手段】  表示画面２の一辺に沿って配置され、上記一辺に垂直な方向の位置の異なる２つのキー列１３及び１４を形成する３以上のファンクションキー１０ａと、上記一辺に平行な方向の位置を一致させて、各ファンクションキー１０ａに対する機能割り当てを表示画面２内に表示する機能割り当て表示部４４と、ユーザによるファンクションキー１０ａの操作に基づいて、当該操作キーに割り当てられている機能を実行する機能実行部４２により構成される。その際、異なるキー列１１及び１２に属するファンクションキー１０ａは、上記一辺に沿って交互に配置される。【選択図】  図２
2008015782.tif 000002
【特許請求の範囲】
【請求項１】
矩形の表示画面上に信号波形を表示する波形表示装置において、
上記表示画面の一辺に沿って配置され、上記一辺に垂直な方向の位置の異なる２つのキー列を形成する３以上の操作キーと、
上記一辺に平行な方向の位置を一致させて、上記各操作キーに対する機能割り当てを上記表示画面内に表示する機能割り当て表示手段と、
ユーザによる上記操作キーの操作に基づいて、当該操作キーに割り当てられている機能を実行する機能実行手段とを備え、
上記異なるキー列に属する操作キーが上記一辺に沿って交互に配置されることを特徴とする波形表示装置。
【請求項２】
上記操作キーが、少なくとも１０個配置され、数値入力の際、上記操作キーにテンキーの機能が割り当てられることを特徴とする請求項１に記載の波形表示装置。
【請求項３】
上記一辺に隣接する上記表示画面の他の辺に沿って配置され、入力モードを切り替える複数の入力モード切り替えキーを備え、
上記各操作キーには、上記入力モードに応じて異なる機能が割り当てられ、
上記機能割り当て表示手段が、数値入力の際に、上記一辺と、上記入力モードに応じて割り当てられた各機能割り当ての表示との間に、上記テンキーの機能割り当てを表示することを特徴とする請求項２に記載の波形表示装置。
【請求項４】
上記一辺に隣接する上記表示画面の他の辺に沿って配置され、上記表示画面上のカーソルを移動させる２つのカーソル移動キーを備え、
上記各操作キーには、それぞれ複数の異なる文字が割り当てられ、文字入力の際、同一の操作キーの操作回数に応じて異なる文字を入力させることを特徴とする請求項１に記載の波形表示装置。
【請求項５】
上記他の辺に沿って配置され、入力モードを切り替える複数の入力モード切り替えキーを備え、
上記各操作キーには、上記入力モードに応じて異なる機能が割り当てられ、
上記機能割り当て表示手段が、文字入力の際に、上記一辺と、上記入力モードに応じて割り当てられた各機能割り当ての表示との間に、上記各操作キーに対する文字割り当てを表示することを特徴とする請求項４に記載の波形表示装置。
【請求項６】
上記一辺に隣接する上記表示画面の他の辺に沿って配置され、入力モードを切り替える複数の入力モード切り替えキーを備え、
上記各操作キーが、上記入力モードに応じて異なる機能が割り当てられる第１のブロックと、上記第１のブロック内の操作キーの操作により選択された機能に応じて異なる機能が割り当てられる第２のブロックのいずれかに区分されることを特徴とする請求項１に記載の波形表示装置。
【発明の詳細な説明】
【技術分野】
【０００１】
本発明は、波形表示装置に係り、さらに詳しくは、表示画面上に信号波形を表示する波形表示装置の改良に関する。
【背景技術】
【０００２】
回路内を伝わる電気信号などの信号波形を画面表示する装置として、波形表示装置が知られている。この波形表示装置は、電圧レベルなどの時間変化を信号波形として表示画面上に表示する表示装置であり、近年では、入力信号をデジタル処理し、入力信号に含まれる周波数成分をリアルタイムに表示する表示装置も製品化されている。波形表示装置では、通常、操作キーが配置される操作面内に表示画面が設けられることが少なくない。一般に、操作性を低下させることなく操作キーを小型化するには限度があることから、操作面内に配置可能な限られた数の操作キーにより、波形表示に関する動作設定のための情報を入力する必要がある。
【０００３】
このため、従来の波形表示装置では、動作モードに応じて異なる機能が割り当て可能であって、表示画面内に機能割り当てが表示される操作キー、いわゆるファンクションキー（ソフトキーともいう）を用いて、数値や文字の入力が行われていた。すなわち、数値入力のためのテンキーや文字入力のための専用のキーを設けるのに代えて、同一の操作キーに複数の異なる機能を割り当て、当該操作キーをこれらの機能の実行に共通に使用させることにより、装置の小型化が図られていた。具体的には、数値入力の場合、キー操作に基づいて数値を所定量だけ増加又は減少させる機能がいずれかのファンクションキーに割り当てられ、所望の数値に達するまで当該ファンクションキーを操作し続けることにより、数値入力が実現されていた。しかしながら、この様な数値の入力方法では、桁数の増加に伴ってキー操作の回数が増大し、操作性が低下するという問題があった。
【０００４】
そこで、数値入力の際には、テンキーの機能を各ファンクションキーに割り当て、これらのキーを用いて数値入力を実現させることが考えられる。しかし、各ファンクションキーは、通常、表示画面の一辺に沿って直線上に配置されることから、テンキーの機能を割り当てるファンクションキーを配置させると、操作キーの数が多くなるので、上記直線方向に関して操作面のサイズが大きくなってしまい、装置が大型化するという問題があった。文字入力の場合にも、各ファンクションキーにそれぞれ複数の異なる文字を割り当て、文字入力の際には、操作回数に応じて異なる文字を入力させることが考えられるが、数値入力の場合と同様に、操作面のサイズが大きくなってしまうという問題があった。
【０００５】
なお、特許文献１には、入力レンジ幅を複数に区分した際の各区分に対応する数値を各ファンクションキーにそれぞれ割り当て、所望の数値を入力する際には、当該数値に最も近い区分のファンクションキーを操作することにより、当該区分に対応する数値を基準に数値を増減させて所望の数値を入力させる技術が記載されている。この特許文献１に記載の装置は、入力レンジ幅が大きくなると、各区分に対応する数値を割り当てるのに必要なファンクションキーの数が増大すると考えられることから、操作面のサイズを大型化させることなく、数値入力の際の操作性を向上させるものではない。
【特許文献１】特公平７−９２７１９号公報
【発明の開示】
【発明が解決しようとする課題】
【０００６】
上述した通り、従来の波形表示装置では、数値入力の際、桁数の増加に伴ってキー操作の回数が増大し、操作性が低下するという問題があった。また、テンキーの機能を各ファンクションキーに割り当てようとすると、操作面のサイズが大きくなり、装置が大型化するという問題があった。また、文字入力の場合にも、各ファンクションキーにそれぞれ文字を割り当てて文字を入力させようとすると、操作面のサイズが大きくなるという問題があった。
【０００７】
本発明は、上記の事情に鑑みてなされたものであり、操作キーが配置される操作面のサイズを大型化させることなく、数値入力や文字入力の際の操作性を向上させた波形表示装置を提供することを目的とする。特に、テンキーの機能や文字入力の機能を操作キーに割り当てた際に、各操作キーの操作性を低下させることなく、操作面のサイズが大型化するのを抑制することができる波形表示装置を提供することを目的とする。また、操作キーのサイズを小型化することなく、表示画面の一辺に沿って配置可能な操作キーの数を増やすことができる波形表示装置を提供することを目的とする。
【課題を解決するための手段】
【０００８】
第１の本発明による波形表示装置は、矩形の表示画面上に信号波形を表示する波形表示装置であって、上記表示画面の一辺に沿って配置され、上記一辺に垂直な方向の位置の異なる２つのキー列を形成する３以上の操作キーと、上記一辺に平行な方向の位置を一致させて、上記各操作キーに対する機能割り当てを上記表示画面内に表示する機能割り当て表示手段と、ユーザによる上記操作キーの操作に基づいて、当該操作キーに割り当てられている機能を実行する機能実行手段とを備え、上記異なるキー列に属する操作キーが上記一辺に沿って交互に配置されるように構成される。
【０００９】
この波形表示装置では、３以上の操作キーが矩形の表示画面の一辺に沿って配置され、各操作キーに対する機能割り当てが上記一辺に平行な方向の位置を一致させて表示画面内に表示される。その際、各操作キーが、上記一辺に垂直な方向の位置の異なる２つのキー列を形成するとともに、異なるキー列に属する操作キーが上記一辺に沿って交互に配置される。この様な構成により、表示画面内に機能割り当てを表示させる各操作キーについて、表示画面の一辺に垂直な方向の位置の異なる２つのキー列のそれぞれに属する操作キーが交互に配置されるので、操作キーのサイズを小型化することなく、上記一辺に平行な方向に関する配列の長さを短縮することができる。従って、各操作キーが配置される操作面のサイズを大型化させることなく、数値入力や文字入力の際の操作性を向上させることができる。また、各操作キーの配列の長さが短縮されるので、操作キーのサイズを小型化することなく、表示画面の一辺に沿って配置可能な操作キーの数を増やすことができる。
【００１０】
第２の本発明による波形表示装置は、上記構成に加え、上記操作キーが、少なくとも１０個配置され、数値入力の際には、これらの操作キーにテンキーの機能が割り当てられるように構成される。この様な構成によれば、操作キーのサイズを小型化することなく、表示画面の一辺に平行な方向に関する各操作キーの配列の長さが短縮されるので、テンキーの機能を操作キーに割り当てた際に、各操作キーの操作性を低下させることなく、操作面のサイズが大型化するのを抑制することができる。
【００１１】
第３の本発明による波形表示装置は、上記構成に加え、上記一辺に隣接する上記表示画面の他の辺に沿って配置され、入力モードを切り替える複数の入力モード切り替えキーを備え、上記各操作キーには、上記入力モードに応じて異なる機能が割り当てられ、上記機能割り当て表示手段が、数値入力の際に、上記一辺と、上記入力モードに応じて割り当てられた各機能割り当ての表示との間に、上記テンキーの機能割り当てを表示するように構成される。
【００１２】
第４の本発明による波形表示装置は、上記構成に加え、上記一辺に隣接する上記表示画面の他の辺に沿って配置され、上記表示画面上のカーソルを移動させる２つのカーソル移動キーを備え、上記各操作キーには、それぞれ複数の異なる文字が割り当てられ、文字入力の際、同一の操作キーの操作回数に応じて異なる文字を入力させるように構成される。この様な構成によれば、操作キーのサイズを小型化することなく、表示画面の一辺に平行な方向に関する各操作キーの配列の長さが短縮されるので、文字入力の機能を操作キーに割り当てた際に、各操作キーの操作性を低下させることなく、操作面のサイズが大型化するのを抑制することができる。
【００１３】
第５の本発明による波形表示装置は、上記構成に加え、上記他の辺に沿って配置され、入力モードを切り替える複数の入力モード切り替えキーを備え、上記各操作キーには、上記入力モードに応じて異なる機能が割り当てられ、上記機能割り当て表示手段が、文字入力の際に、上記一辺と、上記入力モードに応じて割り当てられた各機能割り当ての表示との間に、上記各操作キーに対する文字割り当てを表示するように構成される。
【００１４】
第６の本発明による波形表示装置は、上記構成に加え、上記一辺に隣接する上記表示画面の他の辺に沿って配置され、入力モードを切り替える複数の入力モード切り替えキーを備え、上記各操作キーが、上記入力モードに応じて異なる機能が割り当てられる第１のブロックと、上記第１のブロック内の操作キーの操作により選択された機能に応じて異なる機能が割り当てられる第２のブロックのいずれかに区分されるように構成される。
【発明の効果】
【００１５】
本発明による波形表示装置によれば、表示画面内に機能割り当てを表示させる各操作キーについて、表示画面の一辺に垂直な方向の位置の異なる２つのキー列のそれぞれに属する操作キーが交互に配置されるので、操作キーのサイズを小型化することなく、上記一辺に平行な方向に関する配列の長さを短縮することができる。従って、各操作キーが配置される操作面のサイズを大型化させることなく、数値入力や文字入力の際の操作性を向上させることができる。特に、操作キーのサイズを小型化することなく、表示画面の一辺に平行な方向に関する各操作キーの配列の長さが短縮されるので、テンキーの機能や文字入力の機能を各操作キーに割り当てた際に、各操作キーの操作性を低下させることなく、操作面のサイズが大型化するのを抑制することができる。また、各操作キーの配列の長さが短縮されるので、操作キーのサイズを小型化することなく、表示画面の一辺に沿って配置可能な操作キーの数を増やすことができる。
【発明を実施するための最良の形態】
【００１６】
図１は、本発明の実施の形態による波形表示装置１の一例を示した外観図であり、表示画面２が配置されたフロントパネル１ａの様子が示されている。この波形表示装置１は、回路内を伝わる電気信号などの信号波形を表示画面２上に表示する表示装置であり、筐体の１つの面がフロントパネル１ａとなっている。波形表示装置１は、例えば、卓上に載置された状態で使用され、電圧レベルなどの時間変化が信号波形として表示される。
【００１７】
フロントパネル１ａは、操作入力部が設けられる操作面であり、ここでは、操作面内に表示画面２、プローブ接続コネクタ３、トリガーボタン４ａ、調整つまみ４ｂ，５，６ａ，６ｂ，７ａ及び７ｂ、チャンネル選択キー８、ファンクションキー部９及び１０が配置されている。表示画面２は、矩形形状のディスプレイであり、信号波形や各ファンクションキー９ａ及び１０ａに対する機能割り当てなどが表示される。表示画面２は、その長手方向を左右方向（水平方向）とし、その短手方向が上下方向（鉛直方向）となるように配置されるものとする。
【００１８】
プローブ接続コネクタ３は、プローブ（探針）を着脱可能に接続するための端子部であり、プローブの接続時には、プローブが検出した電気信号、例えば、アナログ信号が入力される。ここでは、この様なプローブ接続コネクタ３が、８個（８チャンネル分）設けられ、最大８つの異なる入力信号を同時に処理することができるものとする。
【００１９】
プローブ接続コネクタ３を介して入力された電気信号は、デジタル処理され、また、各プローブ接続コネクタ３間は、絶縁素子によって絶縁されているものとする。各プローブ接続コネクタ３は、表示画面２よりも下側に左右方向を配列方向として配置されている。
【００２０】
トリガーボタン４ａは、手動トリガーの動作時に、トリガータイミングを入力するための操作ボタンである。調整つまみ４ｂは、自動トリガーの動作時におけるトリガーレベルを調整するためのダイヤル式入力手段である。
【００２１】
調整つまみ５は、入力信号のレンジ幅などを調整するためのダイヤル式入力手段である。調整つまみ６ａ及び６ｂは、ｘ軸方向に関する表示設定を調整するためのダイヤル式入力手段である。ここでは、調整つまみ６ａが、ｘ軸方向の中心位置を調整するつまみであり、調整つまみ６ｂが、ｘ軸方向のスケール（目盛り）を調整するつまみであるものとする。
【００２２】
調整つまみ７ａ及び７ｂは、ｙ軸方向に関する表示設定を調整するためのダイヤル式入力手段である。ここでは、調整つまみ７ａが、ｙ軸方向の中心位置を調整するつまみであり、調整つまみ７ｂが、ｙ軸方向のスケール（目盛り）を調整するつまみであるものとする。チャンネル選択キー８は、調整つまみ７ａ及び７ｂの操作によって表示設定の調整を行うチャンネルを指定するための操作キーであり、ここでは、チャンネルごとに設けられている。トリガーボタン４ａ、調整つまみ４ｂ，５，６ａ，６ｂ，７ａ，７ｂ及びチャンネル選択キー８は、表示画面よりも右側に配置されている。
【００２３】
ファンクションキー部１０は、表示画面２の一辺に沿って配置された複数のファンクションキー１０ａからなり、ファンクションキー部９は、上記一辺に隣接する表示画面２の他の辺に沿って配置された複数のファンクションキー９ａからなる。
【００２４】
ファンクションキー９ａは、動作モードに応じて異なる機能を割り当て可能な操作キーであり、各ファンクションキー９ａに対する機能割り当てが表示画面２内に表示される。ここでは、動作設定時に入力モードを切り替える機能が割り当てられ、或いは、文字入力時に表示画面２上のカーソルを移動させる機能などが割り当てられる７個の操作キーがファンクションキー９ａとして配置されるものとする。
【００２５】
ファンクションキー１０ａは、動作モードに応じて異なる機能の割り当て可能な操作キーであり、各ファンクションキー１０ａに対する機能割り当てが表示画面２内に表示される。ここでは、数値入力時にテンキーの機能が割り当てられ、或いは、文字入力時に異なる文字の入力機能が割り当てられる１２個の操作キーがファンクションキー１０ａとして配置されるものとする。
【００２６】
各ファンクションキー１０ａは、表示画面２の短辺、この例では、右側の短辺に沿って表示画面の外側に配置され、また、各ファンクションキー９ａは、表示画面２の長辺、この例では、下側の長辺に沿って表示画面２の外側に配置されている。ここで、各ファンクションキー１０ａは、表示画面２の短辺に垂直な方向（左右方向）の位置の異なる２つのキー列を形成し、これらのキー列に属するファンクションキー１０ａが交互に配置されるものとする。各ファンクションキー９ａ及び１０ａは、例えば、押しボタン型のタクトスイッチにより構成される。
【００２７】
図２は、図１の波形表示装置１の要部における構成例を示した図であり、表示画面２、ファンクションキー部９及び１０が示されている。このファンクションキー部９は、左右方向の直線上に配置された７つのファンクションキー９ａ、すなわち、Ｆ１キー、Ｆ２キー、・・・、Ｆ６キー及びＦ０キーからなる。表示画面２の表示領域２ａ内には、各ファンクションキー９ａに割り当てられている機能割り当てが対応するファンクションキー９ａと左右方向の位置を一致させて表示される。この例では、Ｆ１キー及びＦ２キーのそれぞれに対する機能割り当てを示すアイコン１５ａ及び１５ｂが表示画面２の下側の長辺に隣接させて表示されている。ファンクションキー９ａの配列の長さは、表示画面２の長手方向のサイズ以下となっている。
【００２８】
ファンクションキー部１０は、上下方向の直線上に配置された６つのファンクションキー１０ａ、すなわち、ｆ１キー、ｆ３キー、・・・、ｆ１１キーからなるキー列１１と、当該直線とは左右方向の位置が異なる直線上に配置された６つのファンクションキー１０ａ、すなわち、ｆ２キー、ｆ４キー、・・・、ｆ１２キーからなるキー列１２により構成される。ここでは、表示画面２に近い方をキー列１１とし、表示画面２から遠い方をキー列１２と呼んでいる。また、各ファンクションキー１０ａは、上下方向にｆ１〜ｆ１２の順となる様に配置されており、異なるキー列１１及び１２に属するファンクションキー１０ａが、交互に配置されている。
【００２９】
表示領域２ａ内には、各ファンクションキー１０ａに割り当てられている機能割り当てが、対応するファンクションキー１０ａと上下方向の位置を一致させて表示される。この例では、ｆ１キーからｆ１２キーのそれぞれに対する機能割り当てを示すアイコン１６ａ及び１７ａが表示画面２の右側の短辺に隣接させて表示されている。上下方向に関するファンクションキー１０ａの配列の長さは、表示画面２の短手方向のサイズ以下となっている。
【００３０】
所定の動作モードでは、Ｆ１キー及びＦ２キーに対して、それぞれ入力モードを切り替える機能、例えば、「メインメニュー１」及び「メインメニュー２」を切り替える機能が割り当てられるものとする。つまり、この動作モードでは、Ｆ１キー及びＦ２キーが入力モードの切り替えキーとして機能することとなる。
【００３１】
各ファンクションキー１０ａは、この様な入力モードに応じて異なる機能が割り当てられる第１のブロック１３と、第１のブロック１３内のファンクションキー１０ａの操作により選択された機能に応じて異なる機能が割り当てられる第２のブロック１４のいずれかに区分されるものとする。具体的には、ｆ１キーからｆ８キーが第１のブロック１３に区分され、例えば、「サブメニュー１」として、各ファンクションキー１０ａにそれぞれ機能「ａ１」〜「ａ７」及び「メニュー切替」が割り当てられる。
【００３２】
また、ｆ９キーからｆ１２キーが第２のブロック１４に区分され、例えば、「設定項目ａ１」として、各ファンクションキー１０ａにそれぞれ機能「ｂ１」〜「ｂ４」が割り当てられる。つまり、第１のブロック１３内の各ｆ１キー〜ｆ８キーには、Ｆ１キー又はＦ２キーの操作によって選択された入力モードに応じて異なる機能が割り当てられ、第２のブロック１４内の各ｆ９キー〜ｆ１２キーには、ｆ１キー〜ｆ８キーの操作によって選択された機能に応じて異なる機能が割り当てられる。
【００３３】
ここでは、第１のブロック１３及び第２のブロック１４の各ブロックに関し、ブロックの識別情報を示すタブ（見出し）１６及び１７が表示領域２ａ内に表示されるものとする。具体的には、第１のブロック１３において最上部に表示されるアイコン１６ａの上段にタブ１６（「サブメニュー１」と表示）が配置される。また、第２のブロック１４において最上部に表示されるアイコン１７ａの上段にタブ１７（「設定項目ａ１」と表示）が配置される。
【００３４】
各アイコン１５ａ，１５ｂ，１６ａ及び１７ａは、対応するファンクションキー９ａ及び１０ａの操作に基づいて、反転表示に切り替えられ、或いは、背景色が切り替えられる。すなわち、ファンクションキー９ａ及び１０ａの操作により特定の機能が選択された際には、当該機能割り当てを示すアイコンが反転表示への切り替えや背景色の切り替えによってフォーカシングされる。ファンクションキー部１０の各ファンクションキー１０ａには、数値入力や文字入力の際、テンキーの機能や文字入力の機能が割り当てられる。
【００３５】
図３は、図１の波形表示装置１における動作の一例を示した図であり、数値入力時の表示画面２及びファンクションキー部９が示されている。この表示画面２では、各ファンクションキー１０ａに対するテンキーの機能割り当て２１が表示領域２ａ内に表示されている。具体的には、ファンクションキー１０ａごとの機能割り当てを示すアイコン２１ａが、対応するファンクションキー１０ａと上下方向の位置を一致させて配置される。
【００３６】
例えば、ｆ１キー〜ｆ９キーには、それぞれ数字「１」〜「９」を入力する機能が割り当てられ、ｆ１０キーには、数字「０」を入力する機能が割り当てられる。また、ｆ１１キーには、記号「．」（小数点）を入力する機能が割り当てられ、ｆ１２キーには、記号「＋」（プラス）又は「−」（マイナス）を入力する機能が割り当てられる。また、最上部に表示されるアイコン２１ａの上段にタブ２２（「数字キー」と表示）が配置される。
【００３７】
この様なテンキーの機能割り当て２１は、表示画面２の右側の短辺と、入力モードに応じて割り当てられた各機能割り当ての表示（アイコン１６ａなど）との間に、表示される。つまり、各ファンクションキー１０ａを用いて数値入力させる際には、各アイコン１６ａを左側に移動してテンキーの機能割り当て２１が表示される。
【００３８】
数値入力時には、例えば、Ｆ３キーに対して、ファンクションキー１０ａの操作によって入力された数値を消去する機能が割り当てられ、表示領域２ａ内にアイコン２３（「クリア」と表示）が表示される。また、Ｆ０キーに対して、ファンクションキー１０ａによる数値入力を終了させる機能が割り当てられ、表示領域２ａ内にアイコン２４（「入力完了」と表示）が表示される。
【００３９】
図４は、図１の波形表示装置１における動作の一例を示した図であり、文字入力時の表示画面２及びファンクションキー部９が示されている。この表示画面２では、各ファンクションキー１０ａに対する文字入力のための機能割り当て３１が表示領域２ａ内に表示されている。具体的には、ファンクションキー１０ａごとの機能割り当てを示すアイコン３１ａが、対応するファンクションキー１０ａと上下方向の位置を一致させて配置される。
【００４０】
例えば、ｆ１キー〜ｆ１０キーには、それぞれ複数の異なる文字を入力する機能が割り当てられ、ｆ１１キーには、濁点又は半濁点を入力する機能が割り当てられる。具体的には、ｆ１キーに対して、仮名文字「あ」、「い」、・・・、「お」が割り当てられ、操作回数に応じて異なる文字を入力する機能が付与される。
【００４１】
同様に、ｆ２キーに対しては、仮名文字「か」、「き」、・・・、「こ」が割り当てられ、ｆ３キーに対しては、「さ」、「し」、・・・、「そ」が割り当てられる。また、ｆ４キーに対しては、「た」、「ち」、・・・、「と」が割り当てられ、ｆ５キーに対しては、「な」、「に」、・・・、「の」が割り当てられる。また、ｆ６キーに対しては、「は」、「ひ」、・・・、「ほ」が割り当てられ、ｆ７キーに対しては、「ま」、「み」、・・・、「も」が割り当てられる。また、ｆ８キーに対しては、「や」、「ゆ」及び「よ」が割り当てられ、ｆ９キーに対しては、「ら」、「り」、・・・、「ろ」が割り当てられる。また、ｆ１０キーに対しては、「わ」、「を」、「ん」及び記号「ー」が割り当てられる。
【００４２】
最上部に表示されるアイコン３１ａの上段にタブ３２（「かなキー」と表示）が配置される。
【００４３】
この様な文字入力のための機能割り当て３１は、表示画面２の右側の短辺と、入力モードに応じて割り当てられた各機能割り当ての表示（アイコン１６ａなど）との間に、表示される。つまり、各ファンクションキー１０ａを用いて文字入力させる際には、各アイコン１６ａを左側に移動して機能割り当て３１が表示される。
【００４４】
文字入力時には、例えば、Ｆ３キーに対して、各ファンクションキー１０ａに割り当てる文字の種類を切り替える機能が割り当てられ、表示領域２ａ内にアイコン３３（「入力切替」と表示）が表示される。切り替え可能な文字の種類としては、例えば、仮名文字、英文字（アルファベット文字）、数字があり、Ｆ３キーの操作によって切り替えることができる。
【００４５】
また、Ｆ４キー及びＦ５キーには、それぞれ表示画面２上のカーソルを前後に移動させる機能が割り当てられ、表示領域２ａ内にアイコン３４ａ及び３４ｂが表示される。例えば、Ｆ４キーに対して、文字の入力位置を前段に移動させる機能が割り当てられ、Ｆ５キーに対して、文字の入力位置を後段に移動させる機能が割り当てられる。つまり、文字入力時には、Ｆ４キー及びＦ５キーが、入力位置を移動させるためのカーソル移動キーとして機能することとなる。
【００４６】
また、Ｆ６キーには、ファンクションキー１０ａの操作によって入力された文字を消去する機能が割り当てられ、表示領域２ａ内にアイコン３５（「ＤＥＬ」と表示）が表示される。また、Ｆ０キーに対して、ファンクションキー１０ａによる文字入力を終了させる機能が割り当てられ、表示領域２ａ内にアイコン２４（「入力完了」と表示）が表示される。
【００４７】
図５は、図１の波形表示装置１内における機能構成の一例を示したブロック図である。この波形表示装置１は、操作入力部４１、機能実行部４２、機能割り当て記憶部４３、機能割り当て表示部４４及びディスプレイ４５により構成される。操作入力部４１は、ファンクションキー９ａ及び１０ａの操作に基づいて、押下されたファンクションキーに応じた入力信号を生成する動作を行っている。
【００４８】
機能割り当て記憶部４３は、各ファンクションキー９ａ及び１０ａに対する機能割り当て情報を記憶する不揮発性のメモリである。機能実行部４２は、ユーザによるファンクションキー９ａ及び１０ａの操作に基づいて、当該ファンクションキーに割り当てられている機能を実行する動作を行っている。具体的には、操作入力部４１からの入力信号に基づいて、ユーザにより操作された操作キーが判別され、当該操作キーに割り当てられている機能が機能割り当て情報を参照して判断される。そして、当該機能を実行するための制御信号が生成される。
【００４９】
機能割り当て表示部４４は、上記制御信号に基づいて、各ファンクションキー９ａ及び１０ａに対する機能割り当てを表示する処理を行っている。ディスプレイ４５は、表示画面２を有する表示素子であり、機能割り当て表示部４４からの表示データに基づいて、表示領域２ａ内に機能割り当てを示すアイコンなどを表示する動作を行っている。
【００５０】
図６は、図５の波形表示装置１における動作の一例を示した図であり、各ファンクションキー９ａ及び１０ａに対する機能割り当ての一例が示されている。この例では、メインメニューとして、２つの入力モード、すなわち、「計測設定」モード及び「表示設定」モードが規定され、Ｆ１キーの操作によって動作モードを「計測設定」モードに切り替え、或いは、Ｆ２キーの操作によって動作モードを「表示設定」モードに切り替えることができる。
【００５１】
「計測設定」モードは、信号計測に関するパラメータを指定するための入力モードであり、「表示設定」モードは、信号波形の表示に関するパラメータを指定するための入力モードである。
【００５２】
「計測設定」モードでは、サブメニューとして、「計測」、「入力レンジ」、「カップリング」、「プローブ」、「アナログフィルタ」、「デジタルフィルタ」、「反転」、「メニュー切替」、「スケーリング」、「チャンネル名」及び「波形色」の各設定項目が規定され、第１のブロック１３内の各ファンクションキー１０ａに項目ごとの入力機能が割り当てられる。
【００５３】
設定項目「計測」は、計測を行うか否かをチャンネルごとに指定する機能であり、ｆ１キーに割り当てられる。ｆ１キーの操作による当該機能の選択時には、第２のブロック１４内のｆ９キー及びｆ１０キーに計測をオン又はオフさせる機能が割り当てられる。「入力レンジ」は、入力信号のレンジ幅を指定する機能であり、ｆ２キーに割り当てられる。ｆ２キーの操作による当該機能の選択時には、調整つまみ５のダイヤル操作によってレンジ幅を調整することができる。
【００５４】
「カップリング」は、カップリングを指定する機能であり、ｆ３キーに割り当てられる。ｆ３キーの操作による当該機能の選択時には、第２のブロック１４内のｆ９キー〜ｆ１２キーにそれぞれ「ＤＣ」、「ＡＣ」、「ＲＭＳ」及び「ＧＮＤ」を指定する機能が割り当てられる。「プローブ」は、プローブの設定値を指定する機能であり、ｆ４キーに割り当てられる。ｆ４キーの操作による当該機能の選択時には、第２のブロック１４内のｆ９キー〜ｆ１２キーにそれぞれ所定値を指定する機能が割り当てられる。
【００５５】
「アナログフィルタ」は、アナログフィルタを指定する機能であり、ｆ５キーに割り当てられる。ｆ５キーの操作による当該機能の選択時には、第２のブロック１４内のｆ９キー〜ｆ１２キーにそれぞれ所定値を指定する機能が割り当てられる。「デジタルフィルタ」は、デジタルフィルタを使用するか否かを指定する機能であり、ｆ６キーに割り当てられる。ｆ６キーの操作による当該機能の選択時には、第２のブロック１４内のｆ９キー及びｆ１０キーにデジタルフィルタをオン又はオフさせる機能が割り当てられる。
【００５６】
「反転」は、信号波形を反転させるか否かを指定する機能であり、ｆ７キーに割り当てられる。ｆ７キーの操作による当該機能の選択時には、第２のブロック１４内のｆ９キー及びｆ１０キーに信号波形の反転をオン又はオフさせる機能が割り当てられる。「メニュー切替」は、サブメニューの切り替えを指定する機能であり、ｆ８キーに割り当てられる。ｆ８キーの操作による当該機能の選択時には、サブメニューが切り替えられ、第１のブロック１３内の各ファンクションキー１０ａに対する機能割り当てが変更される。
【００５７】
「スケーリング」は、信号レベルの検出値に対する表示値や単位を指定する機能であり、ｆ１キーに割り当てられる。ｆ１キーの操作による当該機能の選択時には、第２のブロック１４内のｆ９キー及びｆ１０キーにスケーリングをオン又はオフさせる機能が割り当てられる。「チャンネル名」は、入力信号の識別情報としてチャンネル名を指定する機能であり、ｆ２キーに割り当てられる。ｆ２キーの操作による当該機能の選択時には、文字入力モードとなり、ｆ１キー〜ｆ１２キーに文字入力の機能が割り当てられる。
【００５８】
「波形色」は、信号波形の表示色を指定する機能であり、ｆ３キーに割り当てられる。ｆ３キーの操作による当該機能の選択時には、調整つまみ５のダイヤル操作によって表示色を変更することができる。
【００５９】
「表示設定」モードでは、サブメニューとして、「表示」、「垂直ズーム」、「オフセット」、「垂直ＰＯＳ」及び「位相シフト」の各設定項目が規定され、第１のブロック１３内の各ファンクションキー１０ａに項目ごとの入力機能が割り当てられる。設定項目「表示」は、表示領域２ａ内に信号波形を表示させるチャンネルを指定する機能であり、ｆ１キーに割り当てられる。ｆ１キーの操作による当該機能の選択時には、第２のブロック１４内のｆ９キー〜ｆ１２キーに表示対象チャンネルを指定する機能が割り当てられる。
【００６０】
「垂直ズーム」は、垂直方向（ｙ軸方向）の倍率を指定する機能であり、ｆ２キーに割り当てられる。ｆ２キーの操作による当該機能の選択時には、調整つまみ５のダイヤル操作によって倍率を変更することができる。「オフセット」は、信号レベルのオフセット量を指定する機能であり、ｆ３キーに割り当てられる。ｆ３キーの操作による当該機能の選択時には、数値入力モードとなり、ｆ１キー〜ｆ１２キーにテンキーの機能が割り当てられる。
【００６１】
「垂直ＰＯＳ」は、垂直方向の中心位置を指定する機能であり、ｆ４キーに割り当てられる。ｆ４キーの操作による当該機能の選択時には、数値入力モードとなり、ｆ１キー〜ｆ１２キーにテンキーの機能が割り当てられる。「位相シフト」は、時間軸方向の中心位置を指定する機能であり、ｆ５キーに割り当てられる。ｆ５キーの操作による当該機能の選択時には、数値入力モードとなり、ｆ１キー〜ｆ１２キーにテンキーの機能が割り当てられる。
【００６２】
図７は、図１の波形表示装置１における動作の一例を示した図であり、「表示設定」モードにおいて設定項目「垂直ＰＯＳ」を選択した際の表示画面２の様子が示されている。「垂直ＰＯＳ」の選択時には、垂直方向の中心位置を指定するために、数値入力モードとなり、各ｆ１キー〜ｆ１２キーにそれぞれ割り当てられている数字を示すアイコン２１ａが表示される。
【００６３】
この例では、第２のブロック１４内の各ファンクションキー１０ａに対する機能割り当てが表示される表示領域１７ｂ内に、入力欄１７ｃが配置されている。ここでは、ｆ１キー〜ｆ１２キーを操作することにより、最大値５．００（Ｄｉｖ）から最小値−５．００（Ｄｉｖ）までの範囲内の数値を入力指定することができるものとする。
【００６４】
この様に各ファンクションキー１０ａに割り当てられているテンキーの機能割り当てを示すアイコン２１ａを表示画面２の短辺と入力モードごとの機能割り当てを示すアイコン１６ａとの間に表示することにより、ファンクションキー１０ａへの数字の対応付けが認識し易くなるので、操作性を向上させることができる。また、第１のブロック１３内のファンクションキー１０ａに対する機能割り当てと、第２のブロック１４内のファンクションキー１０ａに対する機能割り当てにそれぞれタブ１６及び１７を表示することにより、上位の設定項目と下位の設定項目との識別が容易となるので、操作性を向上させることができる。特に、第１のブロック１３内の各ファンクションキー１０ａの操作時と、第２のブロック１４内の各ファンクションキー１０ａの操作時とで、アイコンのフォーカシング時における背景色などを異ならせることにより、より上位設定項目及び下位設定項目の識別が容易となる。
【００６５】
図８は、図１の波形表示装置１における動作の一例を示した図であり、「計測設定」モードにおいて設定項目「チャンネル名」を選択した際の表示画面２の様子が示されている。「チャンネル名」の選択時には、チャンネル名を指定するために、文字入力モードとなり、各ｆ１キー〜ｆ１２キーにそれぞれ割り当てられている文字を示すアイコン３１ａが表示される。
【００６６】
この例では、第２のブロック１４内の各ファンクションキー１０ａに対する機能割り当てが表示される表示領域１７ｂ内に、入力欄１７ｄが配置されている。ここでは、ｆ１キー〜ｆ１２キーを操作することにより、半角文字で１２字以内の仮名文字を入力してチャンネル名を指定することができるものとする。
【００６７】
入力欄１７ｄ内のカーソル１７ｅの位置をＦ４キー及びＦ５キー（アイコン３４ａ及び３４ｂ）の操作によって移動させながら、所望の文字列が入力される。
【００６８】
この様に各ファンクションキー１０ａに割り当てられている文字入力の機能割り当てを示すアイコン３１ａを表示画面２の短辺と入力モードごとの機能割り当てを示すアイコン１６ａとの間に表示することにより、ファンクションキー１０ａへの文字の対応付けが認識し易くなるので、操作性を向上させることができる。
【００６９】
本実施の形態によれば、各ファンクションキー１０ａについて、表示画面２の短辺に垂直な方向の位置の異なる２つのキー列１３及び１４のそれぞれに属するファンクションキーが交互に配置されるので、操作キーのサイズを小型化することなく、上記短辺に平行な方向に関する配列の長さを短縮することができる。従って、各ファンクションキー１０ａが配置される操作面のサイズを大型化させることなく、数値入力や文字入力の際の操作性を向上させることができる。また、各ファンクションキー１０ａの配列の長さが短縮されるので、操作キーのサイズを小型化することなく、表示画面２の短辺に沿って配置可能なファンクションキーの数を増やすことができる。
【００７０】
なお、本実施の形態では、数値入力時や文字入力時に使用させるファンクションキー１０ａが２列に配置される場合の例について説明したが、本発明はこれに限られるものではない。例えば、表示画面２の短辺に垂直な方向の位置の異なる３以上のキー列を形成し、各キー列に属するファンクションキーを上記短辺に沿って順に配置させても良い。この様にして、表示画面２の短辺に沿って配置させる各ファンクションキー１０ａを上記垂直な方向の位置を異ならせて２以上のキー列として配置することにより、短辺に平行な直線上に配置させるのに比べて、各ファンクションキーの配列の長さを短縮することができる。
【図面の簡単な説明】
【００７１】
【図１】本発明の実施の形態による波形表示装置１の一例を示した外観図であり、表示画面２が配置されたフロントパネル１ａの様子が示されている。
【図２】図１の波形表示装置１の要部における構成例を示した図であり、表示画面２、ファンクションキー部９及び１０が示されている。
【図３】図１の波形表示装置１における動作の一例を示した図であり、数値入力時の表示画面２及びファンクションキー部９が示されている。
【図４】図１の波形表示装置１における動作の一例を示した図であり、文字入力時の表示画面２及びファンクションキー部９が示されている。
【図５】図１の波形表示装置１内における機能構成の一例を示したブロック図である。
【図６】図５の波形表示装置１における動作の一例を示した図であり、各ファンクションキー９ａ及び１０ａに対する機能割り当ての一例が示されている。
【図７】図１の波形表示装置１における動作の一例を示した図であり、設定項目「垂直ＰＯＳ」を選択した際の表示画面２の様子が示されている。
【図８】図１の波形表示装置１における動作の一例を示した図であり、設定項目「チャンネル名」を選択した際の表示画面２の様子が示されている。
【符号の説明】
【００７２】
１  波形表示装置
１ａ  フロントパネル
２  表示画面
３  プローブ接続コネクタ
４ａ  トリガーボタン
４ｂ，５，６ａ，６ｂ，７ａ，７ｂ  調整つまみ
８  チャンネル選択キー
９，１０  ファンクションキー部
９ａ，１０ａ  ファンクションキー
１１，１２  キー列
１３  第１のブロック
１４  第２のブロック
４１  操作入力部
４２  機能実行部
４３  機能割り当て記憶部
４４  機能割り当て表示部
４５  ディスプレイ
【図１】
2008015782.tif 000003
【図２】
2008015782.tif 000004
【図３】
2008015782.tif 000005
【図４】
2008015782.tif 000006
【図５】
2008015782.tif 000007
【図６】
2008015782.tif 000008
【図７】
2008015782.tif 000009
【図８】
2008015782.tif 000010